(57)【要約】【課題】  漂白剤含有洗浄剤組成物をボトル又は箱型容器に収納した洗浄剤製品において、使い始めから残り少なくなったときまで使用性、計量性などに優れた容器入り漂白洗浄剤製品を提供する。【解決手段】  無機過酸化物と、過酸化水素と反応して有機過酸を生じる化合物又は漂白活性化触媒と、界面活性剤とを含有する組成物をボトル又は箱型容器に収納した洗浄剤製品であって、上記組成物の嵩密度が０．７〜１．５ｇ／ｃｍ3、安息角が３０〜５０°であると共に、該組成物の０．２重量％水溶液の溶解３分後の光透過度（波長６００ｎｍ）が８０〜１００％であり、かつ、上記ボトル又は箱型容器の内表面と該組成物との最大静止摩擦係数μが０．４〜０．７であることを特徴とする容器入り漂白洗浄剤製品。【選択図】  なし【特許請求の範囲】
【請求項１】
無機過酸化物と、過酸化水素と反応して有機過酸を生じる化合物又は漂白活性化触媒と、界面活性剤とを含有する組成物をボトル又は箱型容器に収納した洗浄剤製品であって、上記組成物の嵩密度が０．７〜１．５ｇ／ｃｍ3、安息角が３０〜５０°であると共に、該組成物の０．２質量％水溶液の溶解３分後の光透過度（波長６００ｎｍ）が８０〜１００％であり、かつ、上記ボトル又は箱型容器の内表面と該組成物との最大静止摩擦係数μが０．４〜０．７であることを特徴とする容器入り漂白洗浄剤製品。
【請求項２】
前記組成物の圧縮成形物の引張破断応力が０〜１０００（Ｎ／ｍ2）である請求項１記載の容器入り漂白洗浄剤製品。
【請求項３】
スプーン表面と組成物との最大静止摩擦係数μが０．４〜０．７である材料で加工された、先端部分の角度が２０〜６０°であるスプーンを同梱してなる請求項１又は２記載の容器入り漂白洗浄剤製品。
【発明の詳細な説明】
【技術分野】
【０００１】
本発明は、漂白剤含有洗浄剤組成物をボトル又は箱型容器に収納した洗浄剤製品において、使い始めから残り少なくなったときまで使用性、計量性などに優れた容器入り漂白洗浄剤製品に関する。
【背景技術】
【０００２】
従来より、洗浄剤には、漂白剤や酵素を入れたり、漂白剤に界面活性剤や酵素を入れることにより、洗浄性能の向上が図られている。
【０００３】
一方、洗浄機械（洗濯機、食器洗浄機など）は、省エネ、時短に向けて進化を続けており、洗浄剤の溶解速度も向上が求められている。
従来の容器入り漂白洗浄剤製品等としては、例えば、オキシプロピレン基の平均縮合度が３０〜９０であるポリオキシプロピレンを含有する洗浄剤組成物をボトル、パウチ又は箱型容器に収納した自動食器洗浄機用の洗浄剤製品（特許文献１参照）や、酵素系漂白剤、漂白活性化剤及び香料を含有する洗剤組成物をボトル、パウチ又は箱型容器に収納した自動食器洗浄機用の洗浄製品（特許文献２参照）などが知られている。
【０００４】
これらの洗浄機用の洗浄剤製品は、箱型の容器であったり、キャップで計量するボトル容器であったり、若しくは、詰め替え用のパウチであったりと、形状、使用形態は様々であるが、計量用スプーンをつけて箱型容器から取り出しやすくしたり、ボトルのキャップの開け閉めを容易にしたり、パウチを手の力で裂けるようにするなど、利便性をある程度は高めているものの、これらの製品には、以下に示すような課題があるものである。
【０００５】
これらの製品の使用性等に関して、本発明者らによるユーザビリティ研究により得られた知見によれば、箱型容器の漂白洗浄剤製品にあっては、残量が多いときは重いため、洗濯機の縁やシンクの縁に置いた状態で計量スプーンで取っているが、粉の流動性が悪いと、狭い縁から箱が落ちないように気をつけている。また、残量が少ないときは、箱を手に持って容器を傾けることにより、粉を片側に寄せてすくっているが、容器との滑りが悪いと、スムーズに片側に寄らないなどの課題がある。
【０００６】
また、ボトル容器の漂白洗浄剤製品にあっては、容器を傾けることにより、内容物を流し出してキャップで計量するが、粉自体の流動性が悪いと一気に流れ出てこぼれたり、また、容器との滑りが悪いと残り少なくなったときに容器を振動させるなど余計な手間を強いられているなどの課題がある。
従って、従来の漂白剤含有洗浄剤組成物をボトル又は箱型容器に収納した洗浄剤製品にあっては、上述のような課題があり、包装材料と洗浄剤組成物との適性にまで踏み込んだ利便性の追求は未だなされていないのが現状である。
【特許文献１】特開平１１−６１１７９号公報（特許請求の範囲、実施例等）
【特許文献２】特開２００３−２１３２９５号公報（特許請求の範囲、実施例等）
【発明の開示】
【発明が解決しようとする課題】
【０００７】
本発明は、上記従来の課題及び現状に鑑み、これを解消しようとするものであり、漂白剤含有洗浄剤組成物をボトル又は箱型容器に収納した洗浄剤製品において、使い始めから残り少なくなったときまで使用性、計量性などに優れた容器入り漂白洗浄剤製品を提供することを目的とする。
【課題を解決するための手段】
【０００８】
本発明者らは、上記従来の課題等を解決するために、包装材料及びスプーンの材質と漂白剤含有洗浄剤組成物の適性について鋭意検討を行い、以下の物理的条件１）〜３）を満たすことにより、特定の内容物を特定の容器に入れて使用する際の使用性、計量性が格段に向上し、また、物理的条件４）を満たすことにより、漂白剤含有洗浄剤組成物の溶解速度の向上も十分に満足する容器入り漂白洗浄剤製品が得られることを見出したのである。
１）  内容物の流動性については、漂白剤含有洗浄剤組成物の配合比、粒子の粒径等を制御することにより、安息角を特定の範囲にすること。
２）  内容物と包装材料及びスプーンとの滑りやすさは、漂白剤含有洗浄剤組成物と包装材料及びスプーンの表面との最大静止摩擦係数μを特定の範囲となるように、組成と包装材料及びスプーンの材質、表面状態を組み合わせること。
３）  計量及び投入のしやすさは、漂白剤含有洗浄剤組成物の嵩密度を特定の範囲にすること。
４）  また、更に十分な溶解速度を満足するために、溶解速度は、漂白剤含有洗浄剤組成物の０．２％質量％水溶液の溶解３分後の光透過度（波長６００ｎｍ）を特定の範囲にすること。
【０００９】
すなわち、本発明は、次の（１）〜(３)に存する。
（１）  無機過酸化物と、過酸化水素と反応して有機過酸を生じる化合物又は漂白活性化触媒と、界面活性剤とを含有する組成物をボトル又は箱型容器に収納した洗浄剤製品であって、上記組成物の嵩密度が０．７〜１．５ｇ／ｃｍ3、安息角が３０〜５０°であると共に、該組成物の０．２質量％水溶液の３分後の光透過度（波長６００ｎｍ）が８０〜１００％であり、かつ、上記ボトル又は箱型容器の内表面と該組成物との最大静止摩擦係数μが０．４〜０．７であることを特徴とする容器入り漂白洗浄剤製品。
（２）  前記組成物の圧縮成形物の引張破断応力が０〜１０００（Ｎ／ｍ2）である上記（１）記載の容器入り漂白洗浄剤製品。
（３）  スプーン表面と組成物との最大静止摩擦係数μが０．４〜０．７である材料で加工された、先端部分の角度が２０〜６０°であるスプーンを同梱してなる上記（１）又は（２）記載の容器入り漂白洗浄剤製品。
なお、本発明で規定する「３分後の光透過度」、「引張破断応力」及び「最大静止摩擦係数」は、後記の測定法で測定した値をいう。
【発明の効果】
【００１０】
本発明によれば、漂白剤含有洗浄剤組成物をボトル又は箱型容器に収納した洗浄剤製品において、使い始めから残り少なくなったときまで使用性、計量性などに優れた容器入り漂白洗浄剤製品が提供される。
【発明を実施するための最良の形態】
【００１１】
以下に、本発明の実施形態を詳しく説明する。
本発明の容器入り漂白洗浄剤製品は、無機過酸化物と、過酸化水素と反応して有機過酸を生じる化合物又は漂白活性化触媒と、界面活性剤とを含有する組成物をボトル又は箱型容器に収納した洗浄剤製品であって、上記組成物の嵩密度が０．７〜１．５ｇ／ｃｍ3、安息角が３０〜５０°であると共に、該組成物の０．２質量％水溶液の３分後の光透過度（波長６００ｎｍ）が８０〜１００％であり、かつ、上記ボトル又は箱型容器の内表面と該組成物との最大静止摩擦係数μが０．４〜０．７であることを特徴とするものである。
【００１２】
本発明において、ボトルや箱型容器に収納する漂白剤含有洗浄剤組成物としては、無機過酸化物と、過酸化水素と反応して有機過酸を生じる化合物又は漂白活性化触媒と、界面活性剤とを含有するものが挙げられる。
用いることができる無機過酸化物は、特に限定されるものではないが、アルカリ金属の過ホウ酸塩、過炭酸塩、過ケイ酸塩、過硫酸塩等の水溶液中で過酸化水素を発生する無機過酸化物を使用することができ、これらは、単独（１種）で又は２種以上を混合して用いることができる。
好ましくは、更なる漂白効果の点から、過硫酸水素カリウム、過ホウ酸ナトリウム、過炭酸ナトリウムが望ましく、更に好ましくは、過炭酸ナトリウムが望ましい。
無機過酸化物の含有量は、特に限定するものではないが、本発明の洗浄剤組成物全量に対して２〜７０質量％、好ましくは５〜５０質量％の範囲で用いられる。
【００１３】
また、過酸化水素と反応して有機過酸を生じる化合物としては、例えば、テトラアセチルエチレンジアミン（ＴＡＥＤ）、テトラアセチルグリコリルウリル、グルコースペンタアセテート、アセトキシベンゼンスルホン酸塩、デカノイルオキシ安息香酸塩、ノナノイルオキシベンゼンスルホン酸塩等が挙げられ、これらは、単独（１種）で又は２種以上を混合して用いることができる。好ましくは更なる漂白効果の点から、テトラアセチルエチレンジアミン（ＴＡＥＤ）が望ましい。
更に、漂白活性化触媒としては、例えば、マンガン錯体、鉄錯体、コバルト錯体、ルテニウム錯体などが挙げられ、これらは、単独（１種）で又は２種以上を混合して用いることができる。好ましくは、更なる漂白効果を発揮せしめる点から、マンガン錯体が望ましい。
これらの過酸化水素と反応して有機過酸を生じる化合物、漂白活性化触媒は夫々単独で、または併用して用いることができ、過酸化水素と反応して有機過酸を生じる化合物は洗浄剤組成物全量に対して、０．１〜１０質量％、好ましくは０．５〜５質量％、漂白活性化触媒は洗浄剤組成物全量に対して、０．０１〜１質量％、好ましくは０．０５〜０．５質量％とすることが望ましい。
【００１４】
また、本発明に用いる界面活性剤としては、特に限定されず、例えば、ポリオキシアルキレンアルキルエーテルなどのノニオン界面活性剤、α−スルホ脂肪酸アルキルエステル、直鎖アルキルベンゼンスルホン酸塩、アルキル硫酸塩、石鹸などのアニオン界面活性剤、カチオン界面活性剤、両性界面活性剤などを用いることができ、特に、ノニオン界面活性剤が好ましい。これは、ノニオン性界面活性剤はイオン性界面活性剤とは異なり、温度が高温曇点以上に上昇すると発泡性が低下するからである。食器洗浄機で使用する場合には、発泡性の高い界面活性剤は単独での使用が困難で消泡剤や抑泡剤の併用が必要となり、低泡性若しくは無泡性の界面活性剤が好ましい。
これらの界面活性剤の含有量は、洗浄剤組成物全量に対して、好ましくは、１〜４０質量％、更に好ましくは、２〜２０質量％の範囲で用いられる。
【００１５】
本発明に用いる漂白剤含有洗浄剤組成物には、洗浄力を高めるために、更に、アルカリ金属の水酸化物、炭酸塩及び各種ケイ酸塩類等のアルカリ剤や、アミラーゼ、プロテアーゼ、リパーゼ、プルラナーゼ、カンナーゼなどの酵素を含有することができる。
【００１６】
本発明の漂白剤含有洗浄剤組成物には、本発明の効果を妨げない範囲で、用途に応じ更にＥＤＴＡ、ＮＴＡ、トリポリリン酸ナトリウム等のキレート剤、高分子量ポリカルボン酸塩等の分散剤、ソルビトール等の酵素安定化剤、ポルフィリン系化合物またはその遷移金属錯体系色素・イオン性有機色素・水溶性ポリメチレン系色素・水溶性天然色素等の着色料、塩化ベンザルコニウム・グルコン酸クロルヘキシジン・ヨウ素化合物・アルコール・次亜塩素酸塩・グルタルアルデヒド・過酢酸等の殺菌剤、腐食防止剤、植物の水抽出エキス、香料、蛍光増白剤、移染防止剤などの公知の慣用成分を配合することができる。
【００１７】
本発明の漂白剤含有洗浄剤組成物を収納する容器としては、例えば、箱型のプラスチック容器、紙及び／又はプラスチックからなる箱型容器、プラスチックボトル、洗剤の排出口を形成しうるブリックス型容器、ゲーブルトップ型容器、チューブ型容器、バックインカートン、バックインボックスなどが挙げられる。特に、好ましくは、箱型容器である。
これらのボトル、箱型容器また箱型容器に同梱されるスプーンの材質としては、例えば、低密度ポリエチレン(LDPE)、中密度ポリエチレン(MDPE)、高密度ポリエチレン(HDPE)、リニヤー低密度ポリエチレン(LLDPE)、メタロセンポリマー、エチレン・酢酸ビニル共重合フィルム(EVA)、その他のＰＥ系シーラントフィルム、無延伸ポリプロピレン(CPP)、二軸延伸ポリプロピレン(OPP)、ポリ塩化ビニリデンコートOPP(KOP)、ＰＶＡコートOPP(AOP)、ポリエステル(PET)、Ｋコートポリエステル(KPET)、延伸ナイロン(ON)、Ｋコートナイロン(KON)、無延伸ナイロン(CN)、ポリビニルアルコール(PVA)、ポリ塩化ビニル(PVC)、ポリ塩化ビニリデン(PVDC)、セロハン(PT,MST,Kセロ)、ゼクロン(ZX)、ポリアクリロニトリル(PAN)、ポリスチレン(PS)、アルミニウム箔(AL)、ＶＭフィルム（アルミ蒸着フィルム、透明蒸着フィルム）、共押し出しフィルム（ラミナーフィルム）、紙などで形成されたものである。
【００１８】
本発明の漂白剤含有洗浄剤組成物は、上述の各成分を常法により配合することにより調製されるものであるが、本発明の目的の効果を発揮させるためには、該漂白剤含有洗浄剤組成物の粉体物性、並びに、該組成物をボトル又は箱型容器に収納した場合の該組成物とボトル又は箱型容器との最大静止摩擦係数μを特定の範囲に限定すること、すなわち、上記組成物嵩密度を０．７〜１．５ｇ／ｃｍ3とし、かつ、安息角を３０〜５０°にすると共に、上記該組成物とボトル又は箱型容器及びスプーンとの最大静止摩擦係数μを０．４〜０．７とすることが必要である。
【００１９】
本発明において、上記特性の嵩密度、安息角、最大静止摩擦係数μ、並びに光透過度を得るためには、上記組成物である粉全体の剛性を高くし、かつ付着性の高い成分、及び微粉、並びに、該組成物とボトル又は箱型容器及びスプーンの内表面の材質等とを至適に組み合わせることにより得られる。
本発明における漂白剤含有洗浄剤組成物の嵩密度は、計量及び投入のしやすさの点から、０．７〜１．５ｇ／ｃｍ3に設定されるものであり、好ましくは、１．０〜１．３ｇ／ｃｍ3とすることが望ましい。
この嵩密度が０．７ｇ／ｃｍ3未満であると、計量及び投入の作業性が低下し、一方、１．５ｇ／ｃｍ3を超えると、スプーンの大きさが小さくなり、分級の影響を受けやすくなり、好ましくない。
特に、本発明は、自動食器洗い機用に好適であるが、卓上の場合、投入する場所が狭く、かつ高いところにあるために、流動性と滑りやすさを同時に満たしながら、更に嵩密度を１．０〜１．３ｇ／ｃｍ3とすることが望ましい。
【００２０】
本発明における漂白剤含有洗浄剤組成物の安息角は、内容物（組成物）の流動性を良好にする点から、３０〜５０°（度）に設定することが必要であり、好ましくは、３５〜４５°とすることが望ましい。この範囲となる安息角は、漂白剤含有洗浄剤組成物の配合比、粒子の粒径等を制御することにより調整することができる。
この安息角を３０〜５０°とすることにより、消費者がストレスを感じてない程度に容易に計量できるようになり、好適な使用性を得ることが可能となるが、安息角が３０°未満の場合は流れすぎ、５０°を超えると流動性が悪くなり、使用性が損なわれることとなる。
【００２１】
本発明における漂白剤含有洗浄剤組成物の０．２質量％水溶液の３分後の光透過度（波長６００ｎｍ）は、近年の洗浄機械に対応し、素速く溶解させる点から８０〜１００％に設定することが必要である。
この光透過度が８０％未満であると短い洗浄行程中で溶解して機能を発揮するに十分な時間がなく、好ましくない。
なお、本発明で規定する「３分後の光透過度」は、下記の測定法で測定した値をいう。
〔光透過度の測定法〕
組成物２ｇを量り取り、ガラスビーカー（１Ｌ、直径１０．５ｃｍ、高さ１４．５ｃｍ）内の２５℃のイオン交換水１Ｌに加えマグネチックスターラー（直径８ｍｍ、長さ４０ｍｍの棒状）用いて、５００ｒｐｍの回転数で撹拌する。撹拌を開始してから３分後の懸濁液をスポイトで、吸光度計のセル（光路長：１ｃｍ）に取り、１０秒以内に６００ｎｍの吸光度を測定する。
【００２２】
本発明においては、上記ボトル又は箱型容器の内表面及びスプーンと上記組成物との最大静止摩擦係数μは、ボトル又は箱型容器に収納した内容物（組成物）の良好な滑りやすさを発揮せしめる点から、０．４〜０．７に設定することが必要であり、好ましくは、０．４〜０．６とすることが望ましい。この範囲となる最大静止摩擦係数μは、組成物の組成と包装材料及びスプーンの材質、表面状態を組み合わせることにより調整することができる。なお、最大静止摩擦係数μは、下記の測定法で測定した値である。
〔最大静止摩擦係数μの測定法〕
容器またはスプーンの内側素材となる樹脂製の平板表面に試料（組成物）５．０ｇを広げて置き、平板の片方を３°／秒の速度で傾斜させて、粉粒体が滑り出すときの角度θ（静摩擦角度）を測定する。このときのｔａｎθが静摩擦係数となる。尚、粉粒体の転がりによる移動は評価対象から除く。
【００２３】
更に、本発明の容器入り漂白洗浄剤製品における組成物の圧縮成形物の引張破断応力を、好ましくは、０〜１０００（Ｎ／ｍ2）、更に好ましくは、０〜５００（Ｎ／ｍ2）、特に好ましくは、５０〜５００（Ｎ／ｍ2）とすることが望ましい。
この引張破断応力が０〜１０００（Ｎ／ｍ2）とすることにより、圧力を加えられても、固まることなく、快適に使用することが可能となるが、引張破断応力が１０００（Ｎ／ｍ2）を越えると、粉粒子の変形、粉同士の固化による粉づまりを起こし、通常使用に支障をきたすこととなり、好ましくない。
なお、本発明で規定する「引張破断応力」は、上下に２分割される円筒セル中に粉体層を圧縮成形させ、次に、下部セル固定の状態で上部セルに垂直方向に引張力を加えて破断する垂直引張破断を行った際の応力であり、下記の測定法で測定した値をいう。
〔圧縮成形物の引張破断応力の測定法〕
アグロボット（粉体層、圧縮・引張強度  自動計測システム、ホソカワミクロン社製）を使用し、システムのコンピュータに必要な各パラメータを入力後、組成物の約２５ｇを円筒セル中に仕込み、後記表１の条件で測定する。
ここで、測定はセル内から取り出すことなく行われ、粉体同士の圧着力が強いほど引張破断応力値が大きくなり、測定値が「０」を示した場合は、加圧により全く圧着しないと考えられる。
【００２４】
本発明で用いられるスプーンは、スプーン表面と組成物との最大静止摩擦係数μが０．４〜０．７である材料で加工された、先端部分の角度が２０〜６０°であるものが好ましい。
本発明において、上記「先端部分の角度」とは、反取っ手側側面と開口面とのなす角度のことであり、この角度が、２０°未満では、計量部開口面の面積が大きくなるため使用性が損なわれ、６０°を超えると、粉体に挿す際の抵抗が大きくなり、やはり使用性が損なわれる。
【００２５】
このように構成される本発明の容器入り漂白洗浄剤製品は、食器洗浄機用、洗濯機用、台所用、浴室用等に好適に利用することができるものであり、無機過酸化物と、過酸化水素と反応して有機過酸を生じる化合物又は漂白活性化触媒から選ばれる少なくとも１種と、界面活性剤とを含有する組成物をボトル又は箱型容器に収納した洗浄剤製品であって、上記組成物の嵩密度を０．７〜１．５ｇ／ｃｍ3とし、安息角が３０〜５０°とすると共に、該組成物の０．２質量％水溶液の３分後の光透過度（波長６００ｎｍ）を８０〜１００％とし、かつ、上記ボトル又は箱型容器及びスプーンの内表面と該組成物との最大静止摩擦係数μを０．４〜０．７とすることにより、初めて、使い始めから残り少なくなったときまで使用性、計量性などに優れた容器入り漂白洗浄剤製品が得られるものとなる。
【実施例】
【００２６】
次に本発明を実施例及び比較例により更に詳述するが、本発明は下記実施例に限定されるものではない。
【００２７】
〔実施例１〜５及び比較例１〜４〕
下記表２に示す各特性（光透過度、嵩密度、安息角、最大静止摩擦係数及び引張破断応力）を有する漂白洗浄剤製品を調製した。この各漂白剤含有洗浄剤組成物（全量１００質量％）の調製法は、リボンミキサーを用いた粉体混合により行った。
各光透過度、嵩密度、安息角、最大静止摩擦係数及び引張破断応力は下記各方法により測定したものである。
また、得られた漂白洗浄剤製品の箱型容器の使用性、ボトル容器の計量性について、下記各評価法により、評価した。
これらの結果を下記表２に示す。
【００２８】
〔光透過度の測定法〕
組成物２ｇを量り取り、ガラスビーカー（１Ｌ、直径１０．５ｃｍ、高さ１４．５ｃｍ）内の２５℃のイオン交換水１Ｌに加えマグネチックスターラー（直径８ｍｍ、長さ４０ｍｍの棒状）用いて、５００ｒｐｍの回転数で撹拌した。撹拌を開始してから３分後の懸濁液をスポイトで、吸光度計のセル（光路長：１ｃｍ）に取り、１０秒以内に６００ｎｍの吸光度を測定した。
【００２９】
〔嵩密度の測定法〕
約１Ｌ容の円柱状容器に粉末洗浄剤を一定速度にて静かに充填し、すりきり後の重量を量り、重量／容積〔ｇ／ｃｍ3〕にて算出した。
【００３０】
〔安息角の測定法〕
縦３０ｍｍ×横１００ｍｍ×高さ１００ｍｍ（アクリル樹脂製）の透明直方体に粉末漂白剤含有洗浄剤組成物を充填し、側面の排出口を開き、重力により排出させ、残留している粉末漂白剤含有洗浄剤組成物の傾斜角（度）を測定した。
【００３１】
〔最大静止摩擦係数μの測定法〕
容器またはスプーンの内側素材となる樹脂製の平板表面に試料（組成物）５．０ｇを広げて置き、平板の片方を３°／秒の速度で傾斜させて、粉粒体が滑り出すときの角度θ（静摩擦角度）を測定した。このときのｔａｎθが静摩擦係数となる。尚、粉粒体の転がりによる移動は評価対象から除いた。
【００３２】
〔圧縮成形物の引張破断応力の測定法〕
アグロボット（粉体層、圧縮・引張強度  自動計測システム、ホソカワミクロン社製）により測定した。具体的には、システムのコンピュータに必要な各パラメータを入力後、組成物約２５ｇを円筒セル中に仕込み、下記表１の条件で測定した。
【００３３】
【表１】
2005171020.tif 000002
【００３４】
〔使用性の評価法〕
・箱形容器の使用性
下記表２に示す内側素材の各種包装材料を用いて縦８５ｍｍ×横１５０ｍｍ×高さ９０ｍｍの箱形容器及び長さ９０ｍｍで６ｍｌ容のスプーンを作製し、この中に各漂白剤含有洗浄剤組成物を充填し、ヘッドスペースが１０％時（残量１００％）とその５％にまで減量させたものを準備した。普段、洗濯機・食洗機を使用している主婦１０名をパネラーとして、この容器入り組成物を洗濯機（ＡＳＷ−ＺＲ７５０、三洋製、以下同様）及びキッチンカウンター上の食洗機（ＮＰ−４０ＳＸ２、松下製、以下同様）に投入してもらい、その時の使いやすさ（使用性）を以下評価基準に従って点数付けを行った。
なお、洗浄剤を投入する際に、残量１００％時は洗濯機の場合は洗濯機の縁に、食洗機の場合はシンクの縁に容器を置いてもらい、残量５％時はいずれの場合も容器を手に持って投入するようにした。
【００３５】
i)１００％時
５点：特に手で容器を支えなくても、洗浄剤を取るときに容器が落ちる心配はない。
４点：洗浄剤を取るときに容器が落ちるとは思わないが、念のため手を添えておきたくなる。
３点：どちらとも言えない。
２点：慎重に洗浄剤を取らないと容器を落としそうになる。
１点：洗浄剤がスムーズに取れず、手で支えておく必要がある。
【００３６】
ii)５％時
５点：ほとんど意識することなく洗浄剤を片側に寄せられる。
４点：意識して容器を傾けると問題なく洗浄剤を片側に寄せられる。
３点：どちらとも言えない。
２点：イメージしたより大きく傾けないと片側に寄らない。
１点：軽く傾けるくらいでは片側に寄らず、振動を与える必要がある。
表中の標記は５点：◎、３〜４点：○、１〜２点：×とした。
【００３７】
iii）スプーンの使用性
３点：粉をすくいやすく、且つ投入しやすい。
２点：どちらとも言えない。
１点：すくうとき、投入するときいずれも大きく手首の角度を変える必要がある。
【００３８】
・ボトル容器の使用性
下記表２に示す内側素材の各種包装材料を用いて７５ｍｍφ×２１０ｍｍ（Ｈ）、口部３０ｍｍφ×４５ｍｍ（Ｈ）のボトル容器を作製し、この中に各漂白剤含有洗浄剤組成物を充填した。普段、洗濯機・食洗機を使用している主婦１０名をパネラーとして、キャップへ適量を取ってもらい、この際の使いやすさ（計量性）を以下評価基準に従って点数付けを行った。
【００３９】
３点：満注時から空になるまでイメージした量を計量できる。
２点：スムーズとは言えないが、組成物をこぼすことなく計量できる。
１点：出にくかったり、急に出たりして組成物をこぼすことがある。
【００４０】
【表２】
2005171020.tif 000003
【００４１】
上記表２の結果から明らかなように、本発明の範囲となる実施例１〜５は、本発明の範囲外となる比較例１〜４に較べて、使用性、計量性のすべてに優れていることが判明した。